(57)【特許請求の範囲】
【請求項１】
内部を絶縁体で封止した金属ステムにＬＥＤチップをマウントし、引出用端子を絶縁体及び金属ステムを貫通させてＬＥＤチップの電極に接続し、他の引出用端子を絶縁体を貫通させて金属ステムに接続したフルカラーＬＥＤランプにおいて、
放熱専用端子を絶縁体を貫通させて金属ステムに接続し、
放熱専用端子を引出用端子より熱伝導率の高い金属で形成したことを特徴とするフルカラーＬＥＤランプ。
【請求項２】
前記放熱専用端子を螺旋状にしたことを特徴とする請求項１記載のフルカラーＬＥＤランプ。
【発明の詳細な説明】
【０００１】
【産業上の利用分野】
本発明は、金属ステムを用いるフルカラーＬＥＤランプに関する。
【０００２】
【従来の技術】
従来の金属ステムを用いたフルカラーＬＥＤランプ１は図６に示す（ａ：側面図，ｂ：下面図）ものが知られている。
【０００３】
該フルカラーランプ１は、先ず図７に示すような金属ステム２にステム接続リード３と電極引出し用リード４とを封止用絶縁ガラス５で封止し、そして前記金属ステム２にＬＥＤチップをダイボンドおよびワイヤーボンドを行なってそれぞれ接続し、さらに金属ステム２をエポキシ樹脂に挿入することにより製作されていた。
【０００４】
上記のように作られたフルカラーＬＥＤランプ１において、該ランプ１に使用される青色ＬＥＤチップは他の緑色，赤色ＬＥＤチップに比べて光度は１０分の１と非常に暗い。そのため他のＬＥＤチップとの光度バランスを保つため２チップをマウントし更に電流を多く流す手段をとっている。
【０００５】
【発明が解決しようとする課題】
上記のフルカラーＬＥＤランプを実装した表示パネルを駆動すると、ＬＥＤランプの発熱が非常に高くなり、そのためＬＥＤチップの光度劣化，特性不良等の信頼性に対する問題があった。さらに、フルカラーＬＥＤランプは、その用途から多数個を用いた表示パネルなどの高密度実装されることが多くなり、より放熱に係る問題があった。
【０００６】
そこで、上記問題点を解決する手段として、ファンまたはヒートシンクなどを取りつけて放熱が行なわれていた。
【０００７】
しかし、上記のような放熱手段を取りつけるためには、表示パネルでのスペース，構造面でいろいろ制約があって設計上問題があった。
【０００８】
また、ＬＥＤランプを実装するときの半田付け作業時における熱が接続用端子へ伝わってＬＥＤランプ自体に支障をきたすこともあった。
【０００９】
そこで、本発明はＬＥＤランプの放熱において、外部よりの放熱手段でなくＬＥＤランプ自体の放熱効果により効率よく放熱させるフルカラーＬＥＤランプを提供することを目的とするものである。
【００１０】
【課題を解決するための手段】
上記目的を達成するために本発明は、内部を絶縁体で封止した金属ステムにＬＥＤチップをマウントし、該ＬＥＤチップの接続用端子を具備したフルカラーＬＥＤランプにおいて、前記接続用端子の他に前記金属ステムの内部から延設されると共に一部を前記絶縁体で封止された放熱専用端子を前記金属ステムに設け、前記放熱専用端子を前記引出用端子より熱伝導率の高い金属で形成するものとする。
【００１１】
なお、前記放熱専用端子を前記引出用端子より熱伝導率の高い金属とすることによって放熱効果が向上する。
【００１２】
ただ、前記放熱専用端子の太さおよび本数はランプの大きさ、形状によって任意に設定されるものである。
【００１３】
また、放熱専用端子を螺旋状にすることによって放熱面積が大きくなりより放熱効果がある。
【００１４】
【作用】
上記のようにＬＥＤランプ自体に放熱手段を設けることによって、ＬＥＤランプの実装時および駆動時の発熱を別の放熱手段を用いることなく放熱させることができる。
【００１５】
その結果、表示パネルが軽量小型化となり安価な表示パネルを提供することができる。
【００１６】
【実施例】
以下本発明のフルカラーＬＥＤの一実施例を図面に基づいて説明すると、図１は本発明のフルカラーＬＥＤの外観図で（ａ）は側面図、（ｂ）は下面図で、該フルカラーＬＥＤ１１は金属ステム１２の一端に、エポキシ樹脂などからなるレンズ１３を有し、他端には、電極引出し端子１４ａとステム接続用端子１４ｂと放熱専用端子１５が装着されている。
【００１７】
上記フルカラーＬＥＤランプ１１の構造についてさらに詳細に説明すると、図３は金属ステム１２の上面１２ａに各色のＬＥＤチップ１６をダイボンド，ワイヤーボンドする前の組品で、金属ステム１２には、３本の電極引出し端子１４ａと１本のステム接続用端子１４ｂと１本の放熱専用端子１５が設けられ、前記３本の電極引出し端子１４ａは金属ステム１２と絶縁されていると共に、互いに封止用絶縁ガラス１７で絶縁されている。
【００１８】
放熱専用端子１５は、金属ステム１２と接続されており、金属ステム１２から伝達され熱を放熱する作用を有している。
【００１９】
上記放熱専用端子１５の放熱効果を高めるために、電極引出し端子１４ａとステム接続用端子１４ｂとは放熱専用端子１５より熱伝導率の低い金属とし、放熱専用端子１５は電極引出し端子１４ａ及びステム接続用端子１４ｂより熱伝導率の高い金属とする。
【００２０】
なお、放熱専用端子１５は一本に限らず、ＬＥＤランプ１の大きさ、形状によっては複数本用いることもできる。
【００２１】
さらに、前記放熱専用端子１５を図５に示すような螺旋状の放熱専用端子１５ａにすると端子の表面積すなわち放熱面積が大きくなって放熱効果がより高くなる。
【００２２】
次に、図２に示すごとく金属ステム１２に赤，緑，青色発光のＬＥＤチップ１６をそれぞれ導電性ペーストでマウントし、Ａｕ線１８にて接続を行う。
【００２３】
さらに上記ＬＥＤチップ１６がマウントされた金属ステム１２を、図４に示すごとくエポキシ樹脂１９が注入されたモールドケース２０に挿入することによって、金属ステム１２にレンズ１３を形成することによってフルカラーＬＥＤランプ１１が完成される。
【００２４】
なお、上記フルカラーＬＥＤランプ１１は従来のフルカラーＬＥＤランプ１に比べて、放熱専用端子１５を設けたものであるから、従来のフルカラーＬＥＤランプ１の生産設備はすべて使用でき、放熱専用端子１５を金属ステム１２に接着するだけの工程を追加するだけでよい。
【００２５】
また、上記フルカラーＬＥＤランプ１１を表示パネルとして用いる場合の実装は従来の方法と全く同じ方法でよく、外部の放熱手段としてのファンやヒートシンクを装着する必要がないので、表示パネルの製作は、従来に比べて簡単になり安価な表示パネルを提供することができる。
【００２６】
【発明の効果】
本発明は、以上説明したような構成になっているので以下のような効果を奏する。
フルカラーＬＥＤランプの駆動時に発生する熱を放熱は、前記ＬＥＤランプに設けた放熱用端子によって行なわれるので、従来のような外部手段のファンやヒートシンクが不要となるため、表示パネルの設計のし易さ，および小型軽量で安価な表示パネルを提供することができる。
【００２７】
また、ＬＥＤランプ自体の製作時および実装時における半田付けの熱をも放熱専用端子によって放熱されるので熱の影響を大幅に減少できＬＥＤランプ自体の品質も向上する。
【００２８】
なお、上記ＬＥＤランプに用いた放熱専用端子には他の端子より熱伝導率の高い金属を用い、他の端子には放熱専用端子より熱伝導率の低い金属を用いることによってより放熱効果を高めることができる。
【００２９】
さらに、放熱専用端子を螺旋状にすることによって、放熱表面積が広くなるのでさらにより放熱効果を高めることができる。
【図面の簡単な説明】
【図１】本発明のフルカラーＬＥＤランプの外観図で、（ａ）は側面図、（ｂ）は下面図である。
【図２】同じく金属ステムにＬＥＤチップをワイヤーボンディングした外観図で、（ａ）は上面図、（ｂ）は側面図である。
【図３】同じく金属ステムにＬＥＤチップをダイボンドする以前の構造図で、（ａ）は上面図、（ｂ）は側断面図、（ｃ）は下面図である。
【図４】本発明のフルカラーＬＥＤランプのレンズ装着の工程図である。
【図５】本発明の放熱専用端子の他の実施例の外観拡大図である。
【図６】従来のフルカラーＬＥＤランプの外観図で、（ａ）は側面図、（ｂ）は下面図である。
【図７】同じく金属ステムにＬＥＤチップをダイボンドする以前の構造図で（ａ）は上面図、（ｂ）は側断面図、（ｃ）は下面図である。
【符号の説明】
１１  フルカラーＬＥＤランプ
１２  金属ステム
１３  レンズ
１４ａ  電極引出し端子
１４ｂ  ステム接続用端子
１５  放熱専用端子
１６  ＬＥＤチップ
１７  封止用絶縁ガラス
【図１】
0003633945.tif 000002
【図２】
0003633945.tif 000003
【図３】
0003633945.tif 000004
【図４】
0003633945.tif 000005
【図５】
0003633945.tif 000006
【図６】
0003633945.tif 000007
【図７】
0003633945.tif 000008